(57)【要約】【課題】消費電力と環境貢献度を関連づけた節電技術を提供する。【解決手段】テレビ受像装置の二酸化炭素削減モード設定部６０は、設定制御部７０と、データテーブル８０とを備える。設定制御部７０は、設定管理部７１と、消費電力算出部７２、二酸化炭素換算部７３とを備える。ここで、設定管理部７１は、二酸化炭素削減モードに関する設定を取得して設定保持テーブル８４に記録する。また、消費電力算出部７２は、設定されている調整値（バックライトやボリューム）を参照して消費電力の推定値を算出する。そして、消費電力算出部７２は、出荷時に設定されている設定（以下、「標準設定」という）に対して二酸化炭素削減モードにおいてどの程度消費電力が削減されているかを算出する。【選択図】図２
2010062927.tif 000002
【特許請求の範囲】
【請求項１】
二酸化炭素の排出量に関連づけて、作動部の作動特性を設定する作動設定手段を備えることを特徴とする表示装置。
【請求項２】
前記作動部の作動特性の設定と、前記作動部の電力特性とが関連づけられたテーブルと、
前記テーブルを参照して、二酸化炭素の排出量を算出する排出量算出手段と、
を備えることを特徴とする請求項１に記載の表示装置。
【請求項３】
前記作動設定手段は、前記作動特性として表示手段の明るさを前記二酸化炭素の排出量に関連づけて設定可能であることを特徴とする請求項２に記載の表示装置。
【請求項４】
前記作動設定手段は、前記作動特性として音声出力手段の音量を前記二酸化炭素の排出量に関連づけて設定可能であることを特徴とする請求項２又は３に記載の表示装置。
【請求項５】
ＯＳＤ表示によって、ユーザから前記作動部における前記作動特性の設定を、受け付ける表示制御手段を備えることを特徴とする請求項２から４までのいずれか１項に記載の表示装置。
【請求項６】
前記表示制御手段は、前記作動特性の所定の基準状態を表示させて、
前記作動設定手段は、前記表示された基準状態の表示をもとにユーザからの前記作動特性の設定を受け付けることを特徴とする請求項５に記載の表示装置。
【請求項７】
前記表示制御手段は、前記作動部の前記作動特性の設定に対応した二酸化炭素の排出量に関する指標をＯＳＤ表示する表示制御手段を備えることを特徴とする請求項２から５までのいずれかに１項に記載の表示装置。
【請求項８】
前記表示制御手段は、二酸化炭素削減モードが実行中に、環境をイメージさせるマークを当該表示装置の消費電力に基づく二酸化炭素の排出量に関連づけてＯＳＤ表示させることを特徴とする請求項２から７までのいずれかに１項に記載の表示装置。
【請求項９】
前記作動設定手段は、表示すべきコンテンツのジャンルに応じて前記作動部の作動特性を設定することを特徴とする請求項２から８までのいずれかに１項に記載の表示装置。
【請求項１０】
前記作動設定手段は、コンテンツを表示する時間帯に応じて前記作動部の作動特性を設定することを特徴とする請求項２から９までのいずれかに１項に記載の表示装置。
【請求項１１】
前記作動設定手段は、目標とすべき二酸化炭素削減量を設定することで、前記作動部の作動特性を設定することを特徴とする請求項２から１０までのいずれか１項に記載の表示装置。
【請求項１２】
当該表示装置の作動開始時刻及び作動停止時刻を取得する経時手段を備え、
前記排出量算出手段は、前記取得した前記作動開始時刻及び前記作動停止時刻をもとに、当該表示装置の所定の停止期間に対応して、削減される二酸化炭素排出量を算出することを特徴とする請求項２から１１までのいずれかに記載の表示装置。
【請求項１３】
二酸化炭素の排出量に関連づけて、作動部の作動特性を設定する作動特性設定工程を備えることを特徴とする表示装置の作動特性制御方法。
【請求項１４】
前記作動特性設定工程は、前記作動部の作動特性の設定と前記作動部の電力特性とが関連づけられたテーブルを参照して、二酸化炭素の排出量を算出する排出量算出工程を備えることを特徴とする請求項１３に記載の表示装置の作動特性制御方法。
【請求項１５】
前記作動特性設定工程は、前記作動特性として表示手段の明るさを前記二酸化炭素の排出量に関連づけて設定することを特徴とする請求項１４に記載の表示装置の作動特性制御方法。
【請求項１６】
前記作動特性設定工程は、前記作動特性として音声出力手段の音量を前記二酸化炭素の排出量に関連づけて設定することを特徴とする請求項１４または１５に記載の表示装置の作動特性制御方法。
【請求項１７】
前記作動部における前記作動特性の設定をユーザから受け付けるための画面をＯＳＤ表示する設定画面表示工程を備えることを特徴とする請求項１４から１６までのいずれか１項に記載の表示装置の作動特性制御方法。
【請求項１８】
コンテンツを表示するときに、前記作動部の前記作動特性の設定に対応した二酸化炭素の排出量に関する指標をＯＳＤ表示する指標表示工程を備えることを特徴とする請求項１４から１７までのいずれかに１項に記載の表示装置の作動特性制御方法。
【請求項１９】
前記指標表示工程は、二酸化炭素削減モードが実行中に、環境をイメージさせるマークを前記指標としてＯＳＤ表示させることを特徴とする請求項１８に記載の表示装置の作動特性制御方法。
【請求項２０】
表示すべきコンテンツのジャンルを特定するジャンル特定工程を有し、
前記作動特性設定工程は、特定されたにジャンル応じて前記作動特性を設定することを特徴とする請求項１４から１９までのいずれかに１項に記載の表示装置の作動特性制御方法。
【請求項２１】
作動中の時間帯を特定する時間特定工程を有し、
前記作動特性設定工程は、コンテンツを表示する時間帯に応じて前記作動部の作動特性を設定することを特徴とする請求項１４から２０までのいずれかに１項に記載の表示装置の作動特性制御方法。
【請求項２２】
目標とすべき二酸化炭素削減量を設定する削減量設定工程を備え、
前記作動特性設定工程は、設定された二酸化炭素削減量に応じて前記作動特性を設定することを特徴とする請求項１４から２１までのいずれか１項に記載の表示装置の作動特性制御方法。
【請求項２３】
請求項２から１２までのいずれか１項に記載の表示装置を動作させる制御プログラムであって、コンピュータを上記の各手段及び前記テーブルとして機能させるための制御プログラム。
【請求項２４】
請求項２３に記載の制御プログラムを記録しているコンピュータ読み取り可能な記録媒体。
【発明の詳細な説明】
【技術分野】
【０００１】
本発明は、表示装置、作動特性制御方法、制御プログラム及び記録媒体に関する。
【背景技術】
【０００２】
京都議定書が発効して、地球環境問題に対応するため各国で二酸化炭素を含む温室効果ガスの削減目標が設定され、日本は所望の期間内に６％削減に取り組むことを世界に約束している。近年テレビの大型化及び高画質化に伴い機器の消費電力も大きくなる傾向にある。このため、テレビ機器メーカは省電力機能の開発と同時に、使用機器の消費電力量を管理できるように努めている。
【０００３】
テレビ視聴状態において低消費電力を実現する簡単な方法としては、一般的には、機器の全体の消費電力のうち電力消費の多い「映像輝度」を下げることや「音量」を下げることが効果的であり、従来技術として、予め用意されたいくつかの低消費電力モードの中から、ユーザが最適なモードを自分で選択して低消費電力を実現する方法がある。
【０００４】
しかし、この方法では、ユーザが選択したモードが最適かどうかを具体的に把握することができない。また、映像輝度や音量を、周囲の環境にあわせて能動的に変化させる方法も従来技術には存在するが、この方法では周囲の環境のパラメータを測定するためのセンサ類が必要になる上、そのセンサ類を取り付ける場所や検出回路が別に必要になり、テレビのコストアップにつながる。
【０００５】
そこで、ユーザが消費電力を把握できる技術として、テレビの画面上や家庭内の表示装置に家庭内の各種電気機器の電力量を表示する技術がある（例えば、特許文献１参照）。
【０００６】
また、電気機器において、過去一定期間内における機器の動作時間を積算し、その積算結果に基づいて、電力消費に伴って引き起こされる環境変化についての情報、具体的には、環境破壊の原因となる二酸化炭素の排出量を算出し表示する技術もある（例えば、特許文献２参照）。
【０００７】
さらに、液晶パネルを具備したテレビにおいて、節電目標期間と節電目標値を設定し、消費電力量が節電目標値に対して所定の割合になったとき液晶パネルのバックライトの輝度、あるいは電源をオフするといった技術もある（例えば、特許文献３参照）。
【特許文献１】特開２００２−４００５５号公報
【特許文献２】特開平１１−３３１７２４号公報
【特許文献３】特開２００８−７９０７６号公報
【発明の開示】
【発明が解決しようとする課題】
【０００８】
ところで、特許文献１に開示の技術にあっては、電気機器の電力量を表示することで、省エネに対する啓蒙を行うことはできるが、ユーザは、自分の行動がどの程度省エネに対して、また環境に対して貢献できているのかを把握しづらいという課題があった。
【０００９】
また、特許文献２に開示の技術にあっては、過去の電力消費量の積算結果を結果として二酸化炭素の排出量を計算し画面上に表示するものであり、ユーザが意識して将来の電力消費量を制御及び管理できるものではなかった。
【００１０】
さらにまた、特許文献３に開示の技術にあっては、節電目標期間と節電目標値を予め設定して消費電力の節電を効果的に実現したが、ユーザにとって節電の効果のイメージが十分に把握できなかった。つまり、実現した節電の効果が、どのように環境に対する貢献に反映されているのかが把握できなかった。
【００１１】
本発明の目的は、上記課題に鑑み、消費電力と環境貢献度を関連づけた節電技術を提供することにある。
【課題を解決するための手段】
【００１２】
本発明に係る装置は、表示装置に関する。この装置は、二酸化炭素の排出量に関連づけて、作動部の作動特性を設定する作動設定手段を備える。
また、前記作動部の作動特性の設定と、前記作動部の電力特性とが関連づけられたテーブルと、前記テーブルを参照して、二酸化炭素の排出量を算出する排出量算出手段と、を備えてもよい。
また、前記作動設定手段は、前記作動特性として表示手段の明るさを前記二酸化炭素の排出量に関連づけて設定可能であってもよい。
また、前記作動設定手段は、前記作動特性として音声出力手段の音量を前記二酸化炭素の排出量に関連づけて設定可能であってもよい。
また、ＯＳＤ表示によって、ユーザから前記作動部における前記作動特性の設定を、受け付ける表示制御手段を備えてもよい。
また、前記表示制御手段は、前記作動特性の所定の基準状態を表示させて、前記作動設定手段は、前記表示された基準状態の表示をもとにユーザからの前記作動特性の設定を受け付けてもよい。
また、前記表示制御手段は、前記作動部の前記作動特性の設定に対応した二酸化炭素の排出量に関する指標をＯＳＤ表示する表示制御手段を備えてもよい。
また、前記表示制御手段は、二酸化炭素削減モードが実行中に、環境をイメージさせるマークを当該表示装置の消費電力に基づく二酸化炭素の排出量に関連づけてＯＳＤ表示させてもよい。
また、前記作動設定手段は、表示すべきコンテンツのジャンルに応じて前記作動部の作動特性を設定してもよい。
また、前記作動設定手段は、コンテンツを表示する時間帯に応じて前記作動部の作動特性を設定してもよい。
また、前記作動設定手段は、目標とすべき二酸化炭素削減量を設定することで、前記作動部の作動特性を設定してもよい。
また、当該表示装置の作動開始時刻及び作動停止時刻を取得する経時手段を備え、前記排出量算出手段は、前記取得した前記作動開始時刻及び前記作動停止時刻をもとに、当該表示装置の所定の停止期間に対応して、削減される二酸化炭素排出量を算出してもよい。
本発明に係る方法は、表示装置の作動特性制御方法に関する。この方法は、二酸化炭素の排出量に関連づけて、作動部の作動特性を設定する作動特性設定工程を備える。
また、前記作動特性設定工程は、前記作動部の作動特性の設定と前記作動部の電力特性とが関連づけられたテーブルを参照して、二酸化炭素の排出量を算出する排出量算出工程を備えてもよい。
また、作動特性設定工程は、前記作動特性として表示手段の明るさを前記二酸化炭素の排出量に関連づけて設定してもよい。
また、作動特性設定工程は、前記作動特性として音声出力手段の音量を前記二酸化炭素の排出量に関連づけて設定してもよい。
また、前記作動部における前記作動特性の設定をユーザから受け付けるための画面をＯＳＤ表示する設定画面表示工程を備えてもよい。
また、コンテンツを表示するときに、前記作動部の前記作動特性の設定に対応した二酸化炭素の排出量に関する指標をＯＳＤ表示する指標表示工程を備えてもよい。
また、前記指標表示工程は、二酸化炭素削減モードが実行中に、環境をイメージさせるマークを前記指標としてＯＳＤ表示させてもよい。
また、表示すべきコンテンツのジャンルを特定するジャンル特定工程を有し、前記作動特性設定工程は、特定されたにジャンル応じて前記作動特性を設定してもよい。
また、作動中の時間帯を特定する時間特定工程を有し、前記作動特性設定工程は、コンテンツを表示する時間帯に応じて前記作動部の作動特性を設定してもよい。
また、目標とすべき二酸化炭素削減量を設定する削減量設定工程を備え、前記作動特性設定工程は、設定された二酸化炭素削減量に応じて前記作動特性を設定してもよい。
本発明の別の態様は、制御プログラムに関する。この制御プログラムは、上述の表示装置を動作させる制御プログラムであって、コンピュータを上記の各手段及び前記テーブルとして機能させる。
本発明の別の態様は、コンピュータ読み取り可能な記録媒体に関する。この記録媒体は、上記の制御プログラムを記録している。
【発明の効果】
【００１３】
本発明によれば、消費電力と環境貢献度を関連づけた節電技術を提供することができる。
【発明を実施するための最良の形態】
【００１４】
次に、本発明を実施するための最良の形態（以下、単に「実施形態」という）の概要を説明する。本実施形態では、現状の消費電力を算出し、その値を用いて、以下のことを行う。
１）テレビ画面上でユーザが予め一定期間内に低減したい電力量又は環境係数（例えば二酸化炭素排出量）を設定できる操作画面（メニュー画面）を表示し、目標の設定値の入力と保存を行う。
２）一定の期間における電力量又は環境係数（例えば二酸化炭素排出量）が目標の設定値範囲に収まるようにテレビ自身が消費電力の大きい回路の調整値を自動で変更する。またその動作に入ることを事前にユーザに報知する。
３）消費電力（量）／環境係数をユーザ選択により画面上に表示させておくことで、ユーザの環境意識を喚起する。
４）算出した消費電力が、予め設定しておいた消費電力を超えた場合、画面上に警告表示を行い、ユーザの注意を喚起する。
５）算出した消費電力を時間積分し、エネルギー消費量を算出し、その値を不揮発メモリに格納して、ユーザがいつでも参照できるようにする。
６）エネルギー消費量を、環境係数に換算して表示し、より強力にユーザの環境意識を喚起する。
７）一定期間内に低減した電力量又は環境係数（例えば二酸化炭素排出量）を積算数値として画面上に表示し管理ができる。
【００１５】
つづいて、図面を参照して詳細に説明する。
図１は、本実施形態に係るテレビ受像装置１０の概略構成を示す機能ブロック図である。テレビ受像装置１０は、構成要素を統括的に制御する主制御部１２と、入力部２０と、出力制御部３０と、出力部４０と、出力設定部５０と、ユーザの直接の操作又はリモコン９０を介した操作を受け付けるユーザ操作取得部１４と、経時部１６とを備える。主制御部１２は、ＣＰＵ（中央演算装置）等のＬＳＩ（大規模集積回路）やメモリ、及びそのメモリに記憶されてそれぞれの機能を実行するプログラムにより実現される。経時部１６は、日時を特定したり動作時間を計測したりタイマ機能を実行する。
【００１６】
入力部２０は、チューナ２２と、外部入力部２４と、チューナ２２又は外部入力部２４を選択して出力制御部３０へ接続するセレクタ２６とを備える。チューナ２２は、例えば、地上デジタル放送を受信及び復号する。より具体的には、チューナ２２は、所望のチャンネルを選局し、復調処理や誤り訂正処理を行い、放送局から送出されたＴＳ（トランスポート・ストリーム）を抽出し、つづいて、多重化されているＴＳを目的別に分離し、映像データ及び音声データを復号するとともに、それらデータ以外の例えばデータ放送のデータはセレクタ２６を介して主制御部１２へ出力される。そして、復号した映像データ及び音声データは、セレクタ２６を介して出力制御部３０へ出力される。
【００１７】
外部入力部２４は、例えばＤＶＤ（Digital Versatile Disc）レコーダなどの外部機器から所望のコンテンツを取得し、取得したコンテンツをセレクタ２６を介して出力制御部３０へ出力する。
【００１８】
出力制御部３０は、表示出力制御部３２と音声出力制御部３４とを備える。表示出力制御部３２は、例えば必要に応じて、テレビ受像装置１０の設定画面や、データ放送の内容を反映させたり選択しているチャンネルの番号や時刻を付与したＯＳＤ（On Screen Display）画面など表示部４２に最終的に表示すべき映像を構築する。音声出力制御部３４は、入力部２０から取得した音声データを、アンプ４６で増幅可能な信号形式に変換処理し、処理した音声データはアンプ４６へ出力する。
【００１９】
出力部４０は、表示部４２と音声出力部４５とを備えている。表示部４２は、例えば、液晶表示装置であって、バックライト４３を備えている。音声出力部４５は、アンプ４６とスピーカ４８とを備えている。
【００２０】
出力設定部５０は、テレビ受像装置１０の各種設定を行う。ここで行う設定は、一般的な設定項目として、本体設定、映像調整（明るさ、色の濃さ、色合い、画質などの項目）、音声調整（高音、低音、バランス、サラウンドなどの項目）、省エネ設定などがあり、さらに、省エネ設定については、従来より行われている通常省エネモードとともに、本実施形態に特徴的である二酸化炭素削減モードに関する設定が可能になっている。これらの設定のために、ユーザは、リモコン９０などを操作することで、所定の設定画面を表示させ、その設定画面によって各種設定を行う。
【００２１】
出力設定部５０は、二酸化炭素削減モードを設定するために、二酸化炭素削減モード設定部６０を備える。なお、図１及び以降の図において「二酸化炭素」を「ＣＯ２」と表記している。
【００２２】
図２は、二酸化炭素削減モード設定部６０の概略構成を示す機のブロック図である。図示のように、二酸化炭素削減モード設定部６０は、設定制御部７０と、データテーブル８０とを備える。
【００２３】
設定制御部７０は、設定管理部７１と、消費電力算出部７２、二酸化炭素換算部７３とを備える。
【００２４】
設定管理部７１は、二酸化炭素削減モードに関する設定をユーザから取得して後述の設定保持テーブル８４に記録する。
【００２５】
消費電力算出部７２は、消費電力に影響を及ぼす項目において、設定されている調整値を参照して、消費電力の推定値を算出する。より具体的には、例えば、標準的な設定で推定される消費電力に対して、消費電力の増減に影響がある調整項目、例えば、バックライト４３の明るさの調整やボリュームの調整を考慮して消費電力を算出する。なお、消費電力は、電力計のようなハードウェアによるリアルタイムの計測ではなく、ユーザの設定をもとに、概算推定値として算出される。そして、消費電力算出部７２は、出荷時に設定されている設定（以下、「標準設定」という）に対して二酸化炭素削減モードにおいてどの程度消費電力が削減されているかを算出する。さらに、算出された消費電力は、所定の期間、例えば５分間毎に推定消費電力量として、後述の履歴記録テーブル８５に記録される。
【００２６】
二酸化炭素換算部７３は、標準設定に対して二酸化炭素削減モードにおいて、どの程度二酸化炭素削減が実現できているかを、後述する所定のテーブル（二酸化炭素換算テーブル８２）を参照して算出する。算出結果は、後述の二酸化炭素削減量記録テーブル８３に記録される。当然に、二酸化炭素換算部７３は、二酸化炭素排出量の削減量だけでなく、テレビ受像装置１０の消費電力に基づいて、その消費電力に対応する二酸化炭素排出量を算出することができる。
【００２７】
データテーブル８０は、電力換算テーブル８１と、二酸化炭素換算テーブル８２と、二酸化炭素削減量記録テーブル８３と、設定保持テーブル８４と、履歴記録テーブル８５とを備える。
【００２８】
電力換算テーブル８１は、図３に示すように、調整値と電力値の関係を示したテーブルを備える。図３（ａ）はバックライト４３の調整値と電力値の関係を示したテーブルであり、図３（ｂ）はボリュームの調整値と電力値の関係を示したテーブルである。例えば、図３（ａ）のバックライト４３に関して見ると、標準設定である調整値「０」の場合、消費電力は「６０Ｗ」となっている。一方、バックライト４３を３段階暗くした調整値「−３」では、消費電力が「４５Ｗ」であり、１５Ｗだけ小さくなる。同様に、図３（ｂ）のボリュームに関して見ると、標準設定である調整値「３０」では消費電力は「１５Ｗ」である。一方で、ボリュームを調整値「１６」としたときの消費電力は「１０．３Ｗ」であり、消費電力は４．７Ｗ小さくなっている。
【００２９】
そして、テレビ受像装置１０の全体の消費電力（以下、「全体消費電力」という）は、以下の（１）式の通り、バックライト４３の調整値から算出される表示部４２の消費電力（以下、「表示消費電力」という）と、ボリュームの調整値から算出される音声出力部４５の消費電力（以下、「音声消費電力」という）との和によって、消費電力算出部７２により算出される。
全体消費電力＝表示消費電力＋音声消費電力・・・（１）式
なお、当然に他の回路の消費電力が加算されてもよく、そのほうがより正確な消費電力をユーザに提示できる。ここでは、説明を簡略するために、全体消費電力に示す割合が大きい表示消費電力及び音声消費電力の和を用いて説明する。
【００３０】
なお、テレビ受像装置１０の全体の消費電力に対する、バックライト４３の占める消費電力の割合はおおよそ８０〜９０％程度であり、また、全体の消費電力に対するアンプ４６やスピーカ４８の出力等の占める消費電力の割合は音量調整時平均数％程度から最大で１０％に近い値である。つまり、これらの部分の消費電力（表示消費電力及び音声消費電力）の合計が、ほぼ全体の消費電力に等しいと言える。それゆえに、この２つの作動機能に着目すれば、本実施形態が狙う効果的な電力低減（二酸化炭素削減）をユーザ操作と連携して実現することができる。
【００３１】
例えば、標準設定にあっては、バックライト４３の調整値が「０」であれば表示消費電力は「６０Ｗ」であり、ボリュームの調整値が「３０」であれば音声消費電力は「１５Ｗ」であり、全体消費電力は「７５Ｗ」になる。一方、仮に二酸化炭素削減モードとして、バックライト４３の調整値が「−３」でボリュームの調整値が「１６」とすれば、表示消費電力は「４５Ｗ」、音声消費電力は「１０．３Ｗ」、全体消費電力は「５５．３Ｗ」となる。したがって、削減できる全体消費電力は、標準設定の全体消費電力から二酸化炭素削減モードの全体消費電力から除いた値となり、上記例では、７５−５５．３＝１９．７Ｗとなる。
【００３２】
さらに、消費電力算出部７２は、算出した全体消費電力をもとに、５分間の消費電力量を以下の（２）式によって算出する。
消費電力量（Ｗｈ）＝全体消費電力×（５／６０）
＝全体消費電力量÷１２      ・・・（２）式
そして、算出した消費電力量は、上述の通り後述の履歴記録テーブル８５に時刻情報に関連づけて記録される。なお、消費電力算出部７２は、削減した消費電力量を履歴記録テーブル８５に記録してもよい。
【００３３】
次に、二酸化炭素換算テーブル８２には、二酸化炭素換算部７３が消費電力をもとに二酸化炭素排出量を算出するためのテーブル又は換算式が備わる。ここでは、換算式を備えているものとし、簡単に説明する。二酸化炭素排出量（ｋｇ）は、以下の（３）式に示すように、累積エネルギー消費量（Ｗｈ）に排出係数（ｋｇ−ＣＯ２／ｋＷｈ）を乗ずることで算出される。累積エネルギー消費量（Ｗｈ）は、履歴記録テーブル８５の記録に基づいて算出される。
二酸化炭素排出量（ｋｇ）＝累積エネルギー消費量（Ｗｈ）×
排出係数０．３６（ｋｇ−ＣＯ２／ｋＷｈ）÷１０００
・・・（３）式
なお、排出係数（ｋｇ−ＣＯ２／ｋＷｈ）は、一般には、使用される地域で異なるので、ユーザの使用地域に応じて設定可能としてもよい。また、メーカが仕向け地毎に予め設定してもよいし、ユーザが設定可能又は変更可能としてもよい。ここでは、排出係数として０．３６（ｋｇ−ＣＯ２／ｋＷｈ）を用いて説明する。また、削減した消費電力量をもとに削減した二酸化炭素排出量が算出されてもよい。
【００３４】
二酸化炭素削減量記録テーブル８３には、上記二酸化炭素換算テーブル８２及び履歴記録テーブル８５をもとにして二酸化炭素換算部７３が算出した、削減した二酸化炭素排出量が記録される。
【００３５】
設定保持テーブル８４は、二酸化炭素削減モードのために設定した表示設定及び音声設定が記録される。
【００３６】
次に、二酸化炭素削減モードの設定手順について説明する。図４は、二酸化炭素削減モードに関する設定に際して表示される画面例を示しており、ＯＳＤ表示によりユーザの設定を受け付ける。
【００３７】
ユーザがリモコン９０の操作等することで設定画面の表示選択がなされると、出力設定部５０は、図示のような設定画面Ｃ１を表示部４２に表示する。具体的には、設定画面Ｃ１の上端の領域には、帯状の領域が「大項目」Ｃ１０が設けられ、「大項目」Ｃ１０は、「本体設定」Ｃ１１、「映像調整」Ｃ１２、「音声調整」Ｃ１３、「省エネ設定」Ｃ１４の領域が選択可能に設けられている。図示では、「省エネ設定」Ｃ１４が選択され、選択されている旨が強調表示されている。
【００３８】
さらに、「大項目」Ｃ１０の下側且つ左側の領域に「中項目」Ｃ２０として、「通常省エネモード設定」Ｃ２１と「二酸化炭素削減モード設定」Ｃ２２の領域が選択可能に設けられている。ここでは、「二酸化炭素削減モード設定」Ｃ２２が選択され、選択された旨が強調表示（反転表示）されている。なお、「通常省エネモード」Ｃ２１が選択されたときは、例えば、ユーザから所定時間操作がなかったときに電源をオフする「無操作オフ」や、信号入力が所定期間なかったときに電源をオフにする「無信号オフ」などの設定が可能となっている。
【００３９】
そして、「二酸化炭素削減モード設定」Ｃ２２が選択されている場合、図示のように、二酸化炭素削減モード詳細設定領域Ｃ３０が表示され、二酸化炭素削減モードに関する各種設定が可能になっている。
【００４０】
二酸化炭素削減モード詳細設定領域Ｃ３０において、まずユーザは、一番上の設定領域Ｃ３１で二酸化炭素削減モードを詳細に設定するか、具体的な目標値を決めて設定するか、それとも設定しないかを選択する。ここでは設定する場合は「詳細に設定する」項目が選択されている。この選択がなされていると、図示のように、下の領域（Ｃ３２〜Ｃ３９）で詳細を設定可能な画面が表示される。設定を反映する場合には、ユーザは「設定反映」ボタンＣ４０を押下する。また、一番下の領域には、設定の二酸化炭素削減量が映像設定及び音声設定それぞれに応じた値と合計値が表示されている。
【００４１】
図５は、二酸化炭素削減モードとしての映像出力の設定を行うときに表示される映像調整画面Ｄ１であり、ＯＳＤ表示によりユーザの設定を受け付ける。図示のように、画質調整領域Ｄ２において表示画面設定に関して「バックライト」「コントラスト」「黒レベル」「色の濃さ」「色合い」「画質」の６項目が調整可能に表示される。ここで「バックライト」の項目に関しては、調整値幅として−８〜＋８まで設定可能であり、調整アイコンＤ２１をリモコン９０等で操作することで、ユーザは所望の調整値に設定することができる。またここでは、調整値「−２」に設定されており、さらに、「バックライト」の項目が二酸化炭素削減貢献項目である旨が表示されている。また、他の５項目については、同様に調整アイコンにより設定可能であるが、二酸化炭素削減貢献項目ではない。さらに、駆動速度調整領域Ｄ３において、表示部４２の駆動速度に倍速機能を適応させるか否かが選択される。倍速機能は、通常１秒間に６０枚の映像で構成される動画映像に対し、前後の映像から補間する技術によって、通常の２倍となる１２０枚で表示する技術である。この倍速機能をオフすることで、負荷の高い処理が停止するため、消費電力が下がる。そして、映像調整画面Ｄ１の下側の領域Ｄ４では、二酸化炭素排出量及び標準設定に対して削減される削減量が表示され、図示では、排出量１８．０ｇであり、標準設定を基準として削減量が３．６ｇである旨が示されている。
【００４２】
図６は、二酸化炭素削減モードとしての音声出力の設定を行うときに表示される音声調整画面Ｅ１であり、ＯＳＤ表示によりユーザの設定を受け付ける。ここでは、第１及び第２の領域Ｅ２、Ｅ３においてボリューム調整とサラウンド設定をすることができるようになっている。第１の領域Ｅ２におけるボリューム調整は、調整アイコンＤ２１をリモコン９０等で操作することで最小値の「０」から最大の「６０」まで設定可能となっている。標準は「３０」とし、図３（ｂ）の電力換算テーブル８１によると、このとき消費電力は「１５Ｗ」である。また、図６に示すように、ボリューム調整を「１６」としたときに、電力換算テーブル８１によると、消費電力は「１０．３Ｗ」である。そして、ボリューム調整の設定とサラウンド設定が反映されたときの二酸化炭素排出量（３．７ｇ／ｈ）と標準設定に対する二酸化炭素削減量（１．７ｇ／ｈ）が一番下の第３の領域Ｅ４に表示される。
【００４３】
次に、図４の画面例において、「目標量設定」項目が選択されたときの設定例について説明する。図７は、そのとき表示される目標設定表示画面Ｆ１であり、ＯＳＤ表示によりユーザの設定を受け付ける。ここでは、上の段の目標設定領域Ｆ２では、目標消費電力又は目標二酸化炭素排出量が設定可能である。ここで、消費電力設定領域Ｆ２１の調整アイコンＦ２２と、二酸化炭素排出量設定領域Ｆ２３の調整アイコンＦ２４とは、調整量に対応して互いが連動して移動するようになっている。つまり、二つの調整アイコンＦ２２、Ｆ２４のいずれか一方を動かすと、他方が連動して動くように構成されている。また、調整値表示領域Ｆ３では、項目「バックライト」と「ボリューム」が、目標設定領域Ｆ２の設定に対応した値が連動して表示される。
【００４４】
ここで、消費電力設定領域Ｆ２１の調整アイコンＦ２２を動かしながら設定するケースについて説明する。今、消費電力が「７０．３Ｗ（表示消費電力６０Ｗ、音声消費電力１０．３Ｗ）」である標準設定の状態から、消費電力を「５０Ｗ」とするケースについて例示する。消費電力算出部７２は、次の１）〜４）の処理を行うことで表示省電力と音声消費電力を算出し、その算出結果に基づき設定管理部７１が二酸化炭素削減モードを設定する。
１）標準設定の消費電力「７０．３Ｗ」と目標とする消費電力「５０Ｗ」との差を以下のように算出する。
（６０＋１０．３）−５０＝２０．３（Ｗ）
２）電力消費に寄与している割合を削減すべき電力である２０．３Ｗを、表示消費電力と音声消費電力に割り当てる。
削減すべき表示消費電力＝２０．３×６０／（６０＋１０．３）＝１７．３（Ｗ）
削減すべき音声消費電力＝２０．３×１０．３／（６０＋１０．３）＝３．０（Ｗ）
３）バックライト４３及びボリュームのそれぞれの目標とする消費電力を計算する。
目標とする表示消費電力＝６０−１７．３＝４２．７（Ｗ）
目標とする音声消費電力＝１０．３−３．０＝７．３（Ｗ）
４）目標とする各消費電力を実現するための調整値を、電力換算テーブル８１を参照して決定する。このとき、上記算出値を超えない最も近い消費電力に対応する調整値が選択される。
バックライト４３の調整値＝「−４」
ボリュームの調整値＝「９」
となる。このとき、表示消費電力は「４０Ｗ」で音声消費電力は「７Ｗ」となり、設定される調整後の消費電力は４７Ｗとなる。調整後の消費電力は、一番下の領域Ｆ４に表示される。
【００４５】
次に、バックライト４３の調整値が「＋６」でボリュームの調整値が「１０」とユーザが調整設定している状態で、目標とする消費電力を「７０Ｗ」にするケースを例示する。
１）電力換算テーブル８１から表示消費電力は「９０Ｗ」であり音声消費電力は「７．５Ｗ」であり、全体消費電力は「９７．５Ｗ」となっている。そして、目標とする消費電力「７０Ｗ」との差を以下のように算出する。
（９０＋７．５）−７０＝２７．５（Ｗ）
２）電力消費に寄与している割合を削減すべき電力である２７．５Ｗを、表示消費電力と音声消費電力に割り当てる。
削減すべき表示消費電力＝２７．５×９０／（９０＋７．５）＝２５．４（Ｗ）
削減すべき音声消費電力＝２７．５×７．５／（９０＋７．５）＝２．１（Ｗ）
３）バックライト４３及びボリュームのそれぞれの目標とする消費電力を計算する。
目標とする表示消費電力＝９０−２５．４＝６４．６（Ｗ）
目標とする音声消費電力＝７．５−２．１＝５．４（Ｗ）
４）目標とする各消費電力を実現するための調整値を、電力換算テーブル８１を参照して決定する。このとき、上記算出値を超えない最も近い消費電力に対応する調整値が選択される。
バックライト４３の調整値＝「０」
ボリュームの調整値＝「５」
となり、このとき、表示消費電力は「６０Ｗ」で音声消費電力は「５Ｗ」となり、設定される調整後の消費電力は６５Ｗとなる。
【００４６】
ユーザが設定した目標に対して設定すべき各調整値が決定されると、設定管理部７１は、バックライト４３の輝度及び音声出力制御部３４のボリュームを決定された各調整値に設定する。
【００４７】
図４の説明に戻る。
ＡＶポジション別設定領域Ｃ３２では、ＡＶポジション毎に二酸化炭素削減モードを設定するか否かが選択される。ＡＶポジションとは、部屋の明るさや表示するコンテンツにあわせて、予め記憶されている映像調整・音声調整に設定する機能であり、例えば、工場出荷状態の「標準」ポジションや、より鮮明な映像となるように調整された「ダイナミック」ポジション、映画のコンテンツにあわせて調整された「シネマ」ポジション等がある。
【００４８】
映像設定領域Ｃ３３では、二酸化炭素削減モードを映像出力に適用させるかが選択可能になっている。ユーザは、適用を希望する場合、「オン」を選択する。
【００４９】
同様に、音声設定領域Ｃ３４では、二酸化炭素削減モードを音声出力に適用させるかが選択可能になっている。ユーザは、適用を希望する場合、「オン」を選択する。
【００５０】
ジャンル設定領域３５では、コンテンツのジャンルに応じて、二酸化炭素削減モードを適用させるかが選択可能になっている。ユーザは、適用を希望する場合、「オン」を選択する。より具体的には、例えば、デジタル放送波にあっては、トランスポート・ストリーム中に番組のジャンルに関する情報が含まれている。そのジャンルを参照することで、ユーザが指定するジャンルの放送番組を出力するときに、二酸化炭素削減モードが適用される。例えば、番組のジャンルが「スポーツ」のときに、二酸化炭素削減モードが適用され、ジャンルが「映画」のときに、二酸化炭素削減モードが適用される。なお、どのジャンルに対して二酸化炭素削減モードの適用がなされるかは、図示しない設定画面でユーザが選択する。これによって、鮮明な画像が要求されるようなコンテンツには二酸化炭素削減モードを適用しないといった利用が可能となる。
【００５１】
つづいて、通知設定領域Ｃ３６では、二酸化炭素削減モードが適用中にその旨を表示部４２に表示するか否かが選択可能となっている。具体的には、二酸化炭素削減モードが適用されている旨及び、どの程度削減されるか又は消費電力が表示部４２にＯＳＤ表示される。図８は、二酸化炭素削減モードが適用中の表示部４２の表示例を示している。図８（ａ）は、二酸化炭素削減モードが適用中である旨が表示部４２の左上の領域Ｍ１に「木」のマークで示されている。図８（ｂ）は、二酸化炭素削減率が表示部４２に表示されている。図８（ｃ）は、消費電力が表示部４２に表示されている。
【００５２】
次に、警告設定領域Ｃ３７では、消費電力が設定した上限値を超えた場合に、警告をするか否かが設定される。例えば、ユーザが消費電力の上限値として、「７０Ｗ」を設定する。そして、ユーザがボリュームを上げる操作をしたり輝度を上げる操作をする等して、輝度やボリュームから推定される消費電力が、７０Ｗを超えた場合に、表示部４２に上限を超えた旨を表示する。表示の態様としては、例えば、設定した上限値と動作中の消費電力を並べて表示したり、図８（ａ）に示した「木」のマークを点灯表示させる等を行う。
【００５３】
また、視聴履歴設定領域Ｃ３８では、ユーザがテレビ受像装置１０を視聴しなかった期間に関する消費電力及び二酸化炭素削減量が設定される。具体的には、テレビ受像装置１０の電源がオフされると、設定管理部７１は、デジタル放送の時刻情報Ｔ１を取得し、履歴記録テーブル８５に記録する。次に、テレビ受像装置１０がオンされると、設定管理部７１は、デジタル放送の時刻情報Ｔ２を取得し、履歴記録テーブル８５に記録する。さらに、消費電力算出部７２は、テレビ受像装置１０がオフしていた期間ΔＴ＝Ｔ２−Ｔ１を算出する。次に、消費電力算出部７２は、テレビ受像装置１０の定格電力、オフしていた期間ΔＴ、及び排出係数０．３６（ｋｇ−ＣＯ２／ｋＷｈ）から、排出されなかった二酸化炭素を算出する。算出結果は、時刻情報Ｔ１、Ｔ２と関連づけて履歴記録テーブル８５に記録される。そして、ユーザが二酸化炭素削減や消費電力の推移を確認できるように構成されてもよく、例えば、週毎や月毎の二酸化炭素削減や消費電力等が履歴記録テーブル８５の記録をもとに集計されて表示部４２に表示されてもよい。これによって、ユーザに対して環境配慮への動機付けを行うことができる。
【００５４】
さらに、視聴環境条件設定領域Ｃ３９では、ユーザがテレビ受像装置１０を視聴するときの条件に応じて二酸化炭素削減モードを適用するか否かを設定できる。具体的には、テレビ受像装置１０の周囲が暗いときに二酸化炭素削減モードを適用させたり、時刻に応じて適用させたりする。
【００５５】
以上、本実施形態のテレビ受像装置１０によれば、消費電力と二酸化炭素削減量をテレビ受像装置１０の設定（輝度設定や音量設定）をもとに算出することができ、追加の構成部品が不要であり、従来の製品に対して追加コストを実質かけることなく実現できる。また、ユーザの環境意識に喚起することができ、その結果、省エネに貢献できる。
【図面の簡単な説明】
【００５６】
【図１】実施形態に係る、テレビ受像装置の概略構成を示す機能ブロック図である。
【図２】実施形態に係る、二酸化炭素削減モード設定部の概略構成を示す機のブロック図である。
【図３】実施形態に係る、電力換算テーブルの内容を示す図である。
【図４】実施形態に係る、二酸化炭素削減モードに関する設定に際して表示される画面例を示す図である。
【図５】実施形態に係る、二酸化炭素削減モードとしての映像出力の設定を行うときに表示される映像調整画面の例を示す図である。
【図６】実施形態に係る、二酸化炭素削減モードとしての音声出力の設定を行うときに表示される音声調整画面の例を示す図である。
【図７】実施形態に係る、「目標量設定」項目が選択されたときに表示される目標設定表示画面の例を示す図である。
【図８】実施形態に係る、二酸化炭素削減モードが適用中の表示例を示す図である。
【符号の説明】
【００５７】
１０  テレビ受像装置
１２  主制御部
１４  ユーザ操作取得部
１６  経時部
２０  入力部
２２  チューナ
２４  外部入力部
２６  セレクタ
３０  出力制御部
３２  表示出力制御部
３４  音声出力制御部
４０  出力部
４２  表示部
４３  バックライト
４５  音声出力部
４６  アンプ
４８  スピーカ
５０  出力設定部
６０  二酸化炭素削減モード設定部
７０  設定制御部
７１  設定管理部
７２  消費電力算出部
７３  二酸化炭素換算部
８０  データテーブル
８１  電力換算テーブル
８２  二酸化炭素換算テーブル
８３  二酸化炭素削減量記録テーブル
８４  設定保持テーブル
８５  履歴記録テーブル
９０  リモコン
【図１】
2010062927.tif 000003
【図２】
2010062927.tif 000004
【図３】
2010062927.tif 000005
【図４】
2010062927.tif 000006
【図５】
2010062927.tif 000007
【図６】
2010062927.tif 000008
【図７】
2010062927.tif 000009
【図８】
2010062927.tif 000010